(57)【要約】      （修正有）【課題】飲料容器内部に収容された飲料や食品を冷却、または、加熱する場合に効率よく冷却、または、加熱でき、飲料容器内部に収容された飲料や食品を、一旦別の容器に移すことや、別の容器から飲料容器に戻す手間が不要な、真空二重容器に収納された飲料用容器を提供する。【解決手段】有底筒状の金属製内容器と有底筒状の金属製外容器とを備え、内容器と外容器との間の空間を真空にした真空二重容器１０の上方の開口から真空二重容器に収納され、内容器に囲まれる形態で内容器内に収容される、有底筒状で収容物を出し入れする収容物用開口を上部に有する飲料用容器２０であって、飲料用容器の外面と飲料用容器の内面との間に断熱層を有さないように構成されると共に、収容物用開口を塞ぐ蓋体３０を備え、蓋体が収容物用開口を塞いだ状態で、蓋体が真空二重容器の上方の開口を塞ぐように構成される。【選択図】図１
2020185354.tif 000002
【特許請求の範囲】
【請求項１】
有底筒状の金属製内容器と有底筒状の金属製外容器とを備え、前記内容器と前記外容器との間の空間を真空にした真空二重容器の上方の開口から前記真空二重容器に収納され、
前記内容器に囲まれる形態で前記内容器内に収容される、有底筒状で収容物を出し入れする収容物用開口を上部に有する飲料用容器であって、
前記飲料用容器の外面と前記飲料用容器の内面との間に断熱層を有さないように構成されると共に、
前記収容物用開口を塞ぐ蓋体を備え、
前記蓋体が前記収容物用開口を塞いだ状態で、前記蓋体が前記真空二重容器の上方の開口を塞ぐように構成される、真空二重容器に収納された飲料用容器。
【請求項２】
前記飲料用容器の底の下面と前記内容器の底の上面との間に、第一スペーサを具備し、
前記第一スペーサが、前記内容器の底の上面に止着されていることを特徴とする請求項１記載の真空二重容器に収納された飲料用容器。
【請求項３】
前記飲料用容器の外測面と前記内容器の内側面との間に、第二スペーサを具備し、
前記第二スペーサが、前記内容器の内側面に止着されていることを特徴とする請求項１または請求項２記載の真空二重容器に収納された飲料用容器。
【請求項４】
前記真空二重容器の上方に雄ネジを備えると共に、前記蓋体には、前記雄ネジが螺入される雌ネジを備え、
前記雄ネジが前記雌ネジに螺入される形態で、前記蓋体が前記真空二重容器の上方を被嵌して前記蓋体が前記収容物用開口を塞ぐことを特徴とする請求項１から請求項３記載の真空二重容器に収納された飲料用容器。
【発明の詳細な説明】
【技術分野】
【０００１】  本発明は、内容器と外容器との間の空間を真空とすることで保温性を向上させた飲料容器に関し、飲料容器内部に収容された飲料を飲料容器に収容された状態で冷却、または、加熱するために時間を要する、という問題が生じることが抑制された飲料用容器に関する。
【背景技術】
【０００２】  上記のような飲料用容器として、金属製外容器と、金属製内容器とを備え、外容器と内容器との間の空間を真空とした二重容器であって、金属製外容器と、金属製内容器との表面に琺瑯加工がなされた真空二重容器が知られている。（例えば、特許文献１参照）。
この真空二重容器では、内部に収容された飲料や食品に金属特有の味や臭いが付着しない点で有意義である。
【先行技術文献】
【特許文献】
【０００３】
【特許文献１】特開２０１６−１５２８７８号公報
【発明の概要】
【発明が解決しようとする課題】
【０００４】  特許文献１に記載された真空二重容器においては、内容器と外容器との間を真空にした真空二重容器であって、表面を琺瑯加工がなされているものであり、真空二重容器に飲料や食品を収容するものである。【０００５】  したがって、内容器と外容器との間を真空にした真空二重容器に飲料や食品を収容するものであるから、真空二重容器は断熱性に優れるものであり、真空二重容器で構成される飲料容器内部に収容された飲料や食品を飲料容器に収容された状態で冷却、または、加熱する場合、冷却、または、加熱に時間を要する、という問題が生じることになる。【０００６】  この場合、飲料容器内部に収容された飲料や食品を、一旦別の容器に移し、冷却、または、加熱した後に、別の容器から真空二重容器で構成される飲料容器に戻せばよいことになるが、飲料容器内部に収容された飲料や食品を、一旦別の容器に移すことや、別の容器から真空二重容器で構成される飲料容器に戻すことには手間を要するものであり、
その改善が望まれていた。【０００７】本発明は、かかる点に着目してなされたものであり、その目的は、飲料容器内部に収容された飲料や食品を冷却、または、加熱する場合に効率よく冷却、または、加熱でき、飲料容器内部に収容された飲料や食品を、一旦別の容器に移すことや、別の容器から飲料容器に戻す手間が不要な、真空二重容器に収納された飲料用容器を提供する点にある。
【課題を解決するための手段】
【０００８】  この目的を達成するために、本発明による真空二重容器に収納された飲料用容器は、有底筒状の金属製内容器と有底筒状の金属製外容器とを備え、前記内容器と前記外容器との間の空間を真空にした真空二重容器の上方の開口から前記真空二重容器に収納され、前記内容器に囲まれる形態で前記内容器内に収容される、有底筒状で収容物を出し入れする収容物用開口を上部に有する飲料用容器であって、前記飲料用容器の外面と前記飲料用容器の内面との間に断熱層を有さないように構成されると共に、前記収容物用開口を塞ぐ蓋体を備え、前記蓋体が前記収容物用開口を塞いだ状態で、前記蓋体が前記真空二重容器の上方の開口を塞ぐように構成される点を特徴とする。【０００９】  このように構成されることで、飲料容器内部に収容された飲料や食品を冷却、または、加熱する場合に効率よく冷却、または、加熱でき、飲料容器内部に収容された飲料や食品を、一旦別の容器に移すことや、別の容器から飲料容器に戻す手間が不要な、真空二重容器に収納された飲料用容器とすることができる。【００１０】  つまり、飲料用容器は、真空二重容器に収納されるものであり、真空二重容器に直接飲料や食品を収容するものではないので、飲料用容器を特に二重にすることなく保温性が備わることになるものであり、飲料や食品を収容した飲料用容器を、冷却、または、加熱する場合にも効率よく冷却、または、加熱できることになる。【００１１】  なお、前記飲料用容器の底の下面と前記内容器の底の上面との間に、第一スペーサを具備し、前記第一スペーサが、前記内容器の底の上面に止着されていることが好ましい。【００１２】  このように構成することで、真空二重容器に収納された状態で飲料用容器の底面と真空二重容器の内容器の底面とが当接することが抑制され、真空二重容器の変形や、飲料用容器の変形が抑制され、また、飲料用容器と真空二重容器の内容器との当接に伴う異音の発生を抑制することができる。【００１３】  また、前記飲料用容器の外測面と前記内容器の内側面との間に、第二スペーサを具備し、前記第二スペーサが、前記内容器の内側面に止着されていることが好ましい。【００１４】  このように構成することで、真空二重容器に収納された状態で飲料用容器の外測面と真空二重容器の内容器の内側面とが当接することが抑制され、真空二重容器の変形や、飲料用容器の変形が抑制され、また、飲料用容器と真空二重容器の内容器との当接に伴う異音の発生を抑制することができる。【００１５】  また、前記真空二重容器の上方に雄ネジを備えると共に、前記蓋体には、前記雄ネジが螺入される雌ネジを備え、前記雄ネジが前記雌ネジに螺入される形態で、前記蓋体が前記真空二重容器の上方を被嵌して前記蓋体が前記収容物用開口を塞ぐように構成されていることが好ましい。【００１６】  このように構成することで、真空二重容器の上方に雄ネジを、蓋体に備える雌ネジに螺入する形態で真空二重容器の上方を蓋体が被嵌することで、蓋体によって収容物用開口を簡単に、しかも堅固に塞ぐことができ、このとき、蓋体が真空二重容器の上方の開口を塞ぐようになるので、保温性も確保されることになる。
【発明の効果】
【００１７】  本発明によれば、飲料容器内部に収容された飲料や食品を冷却、または、加熱する場合に効率よく冷却、または、加熱でき、飲料容器内部に収容された飲料や食品を、一旦別の容器に移すことや、別の容器から飲料容器に戻す手間が不要な、真空二重容器に収納された飲料用容器とすることができる。【００１８】  また、真空二重容器に収納された状態で飲料用容器の底面と真空二重容器の内容器の底面とが当接することが抑制され、真空二重容器の変形や、飲料用容器の変形が抑制され、また、飲料用容器と真空二重容器の内容器との当接に伴う異音の発生を抑制することができる。【００１９】  また、真空二重容器に収納された状態で飲料用容器の外測面と真空二重容器の内容器の内側面とが当接することが抑制され、真空二重容器の変形や、飲料用容器の変形が抑制され、また、飲料用容器と真空二重容器の内容器との当接に伴う異音の発生を抑制することができる。【００２０】  また、真空二重容器の上方に雄ネジを、蓋体に備える雌ネジに螺入する形態で真空二重容器の上方を蓋体が被嵌することで、蓋体によって収容物用開口を簡単に、しかも堅固に塞ぐことができ、このとき、蓋体が真空二重容器の上方の開口を塞ぐようになるので、保温性も確保される。
【図面の簡単な説明】
【００２１】
【図１】  本発明による真空二重容器に収納された飲料用容器の要部正断面図。
【図２】  図１における真空二重容器を示す要部正断面図。
【図３】  図１における飲料用容器を示す要部正断面図。
【図４】  図１における蓋体を示す要部正断面図。
【発明を実施するための形態】
【００２２】  本発明による炊飯器用内釜について、図面を参照しながら説明する。
【００２３】  本発明による「真空二重容器に収納された飲料用容器」０１は、有底筒状の金属製内容器１１と有底筒状の金属製外容器１２とを備え、内容器１１と外容器１２との間の空間を真空にした真空二重容器１０を備え、真空二重容器１０の上方の開口から真空二重容器１０に収納されると共に、内容器１１に囲まれる形態で内容器１１内に収容される飲料用容器２０を備える。（図１、図２、図３参照。）
【００２４】  そして、有底筒状の金属で構成される飲料用容器２０の表面のうち外面２１ａと、内面が内面２１ｂとの間に断熱層を有さないように構成される。（図３参照。）
【００２５】  つまり、有底筒状の金属で構成される飲料用容器２０は、ステンレス鋼板（例えばＳＵＳ３０４）からなる一重の金属板で構成されている。
【００２６】  また、飲料用容器２０は、上部に、収容物を出し入れする収容物用開口２２を備える。（図３参照。）
【００２７】  また、「真空二重容器に収納された飲料用容器」０１は、収容物用開口２２を塞ぐ蓋体３０を備える。
【００２８】  そして、蓋体３０が収容物用開口２２を塞いだ状態で、蓋体３０が真空二重容器１０の上方の開口を塞ぐように構成されている。（図１参照。）
【００２９】  さらに詳しく説明すると、蓋体３０が収容物用開口２２を塞いだ状態で、蓋体３０に備える収容物用開口用シール部材３２が収容物用開口２２を水密的にシールすると共に、蓋体３０に備える真空二重容器の上方の開口用シール部材３３が真空二重容器１０の上方の開口を水密的にシールするように構成されている。
【００３０】  「真空二重容器に収納された飲料用容器」０１は、このように構成されているので、飲料容器内部に収容された飲料や食品を冷却、または、加熱する場合に効率よく冷却、または、加熱でき、飲料容器内部に収容された飲料や食品を、一旦別の容器に移すことや、別の容器から飲料容器に戻す手間が不要な、真空二重容器に収納された飲料用容器とすることができる。
【００３１】  つまり、飲料用容器２０は、真空二重容器１０に収納されるので、飲料用容器２０を特に二重にすることなく保温性が備わることになり、また、飲料用容器２０は、外面２１ａと、内面が内面２１ｂとの間に断熱層を有さないので、飲料用容器２０の中に食品や飲料を収容した状態で、外部から加熱、または、冷却したときに、飲料用容器２０の中に収容された食品や飲料が効率的に加熱、または、冷却されるのである。
【００３２】  そのため、飲料容器内部に収容された飲料や食品を冷却、または、加熱する場合に一旦別の容器に移すことや、別の容器から飲料容器に戻す手間が不要な、真空二重容器に収納された飲料用容器とすることができるのである。
【００３３】  なお、本実施形態では、飲料用容器２０の底の下面と内容器１１の底の上面との間に、第一スペーサ１５を具備し、第一スペーサ１５が、内容器１１の底の上面に止着されている。
【００３４】  このように構成することで、真空二重容器１０に収納された状態で飲料用容器２０の底面と真空二重容器１０の内容器１１の底面とが当接することが抑制され、真空二重容器１０の変形や、飲料用容器２０の変形が抑制され、また、飲料用容器２０と真空二重容器１０の内容器１１との当接に伴う異音の発生を抑制することができる。
【００３５】  また、本実施形態では、飲料用容器２０の外測面と、真空二重容器１０を構成する内容器１１の内側面との間に、第二スペーサ１６を具備し、第二スペーサ１６が、真空二重容器１０を構成する内容器１１の内側面に止着されている。
なお、図２において、白抜きの矢印は、第一スペーサ１５が、内容器１１の底の上面に止着されることを表しており、第二スペーサ１６が、真空二重容器１０を構成する内容器１１の内側面に止着されることを表している。
【００３６】  このように構成することで、真空二重容器１０に収納された状態で、飲料用容器２０の外測面と真空二重容器１０の内容器１１の内側面とが当接することが抑制され、真空二重容器１０の変形や、飲料用容器２０の変形が抑制され、また、飲料用容器２０と真空二重容器１０の内容器１１との当接に伴う異音の発生を抑制することができる。
【００３７】  また、本実施形態では、真空二重容器１０の上方に備える延長部１３に雄ネジ１４を備える。（図１、図２参照。）
【００３８】また、蓋体３０には、雄ネジ１４が螺入される雌ネジ３１を備える。（図１、図４参照。）
そして、雄ネジ１４が雌ネジ３１に螺入される形態で、蓋体３０が真空二重容器１０の上方を被嵌して蓋体３０が収容物用開口２２を塞ぐように構成されている。
【００３９】  このように構成されており、真空二重容器１０の上方に雄ネジ１４を蓋体３０に備える雌ネジ３１に螺入する形態で真空二重容器１０の上方を蓋体３０が被嵌することによって、蓋体３０によって収容物用開口を簡単に、しかも堅固に塞ぐことができ、このとき、蓋体３０が真空二重容器１０の上方の開口を塞ぐようになるので、保温性も確保されることになる。
【００４０】  なお、発明は、上記実施形態に限定されるものではなく、本発明の範囲内において種々の変形を加えることが可能である。
【符号の説明】
【００４１】０１    真空二重容器に収納された飲料用容器
１０    真空二重容器
１１    内容器
１２    外容器
１３    延長部
１４    雄ネジ
１５    第一スペーサ
１６    第二スペーサ
２０    飲料用容器
２１ａ  飲料用容器の外面
２１ｂ  飲料用容器の内面
２２    収容物用開口
３０    蓋体
３１    雌ネジ
３２    収容物用開口用シール部材
３３    真空二重容器の上方の開口用シール部材
【図１】
2020185354.tif 000003
【図２】
2020185354.tif 000004
【図３】
2020185354.tif 000005
【図４】
2020185354.tif 000006